(57)【特許請求の範囲】
【請求項１】
ベッドフレームを有し、このベッドフレームには複数に分割された床部を互いに回動自在に連結してなる床板が設けられ、複数の床部のうちの所定の床部が駆動手段によって起伏駆動される起床式ベッド装置において、
起伏駆動される床部にはその上面側に突出する支持手段が設けられ、この支持手段には上記駆動手段を作動させるためのコントローラが設けられていることを特徴とする起床式ベッド装置。
【請求項２】
上記コントローラは、上面が開放した箱型状のベースと、このベースの上面を閉塞するとともに長手方向中途部が上記ベースに回動自在に連結されたカバーと、上記ベース内に設けられ上記カバーを回動させることで作動するスイッチと、上記カバーを上記スイッチを作動させない状態で弾性的に保持した弾性部材とから構成されていることを特徴とする請求項１記載の起床式ベッド装置。
【請求項３】
上記支持手段は、一端が上記床部に取り付けられ他端に上記コントローラが取り付けられているとともにそのコントローラの位置を変更可能な可撓軸からなることを特徴とする請求項１又は請求項２記載の起床式ベッド装置。
【発明の詳細な説明】
【０００１】
【発明の属する技術分野】
この発明は電動式のベッド装置の駆動手段を操作するための操作装置及び床板上に仰臥した利用者の身体を起すことができる起床式ベッド装置に関する。
【０００２】
【従来の技術】
たとえば、病院などにおいては身体の不自由な利用者のために電動式のベッド装置としての起床式のベッド装置が利用される。起床式のベッド装置は、周知のようにベッドフレームを有し、このベッドフレームには床板が設けられている。この床板は互いに回動自在に連結された複数の床部に分割されていて、この床板上に仰臥した利用者の背部や脚部に対応する部分の床部を、上記床板の下面側に設けられた駆動手段によって起伏駆動させるようになっている。それによって、自力で上半身を起すことができない利用者であっても、上記駆動手段を作動させることで上半身を起したり、各部を屈曲させることができるようになる。
【０００３】
上記駆動手段はコントローラによって遠隔的に操作できるようになっている。上記コントローラは、通常、上記駆動手段とケーブルで接続され、利用者が利用し易い場所に置くことができるよう移動可能になっている。
【０００４】
しかしながら、コントローラが移動可能であると、その操作を行うときに、一方の手でコントローラを持ち、他方の手で操作しなければならない。つまり、両方の手を使用しないと操作することができないため、操作性が悪いということがあり、利用者がたとえば片方あるいは両方の手が不自由な場合、上記コントローラを操作することができないということがある。
【０００５】
しかも、通常、コントローラは本体を有し、その本体の板面には複数のスイッチが設けられている。上記スイッチは本体に比べて十分に小さい。そのため、利用者の手指が不自由であったり、視力が極度に低下しているような場合、上記コントローラのスイッチを操作できなかったり、誤って操作してしまうようなことがある。
【０００６】
さらに、コントローラは、通常、利用者が使い易いよう、上半身の側方などに置かれている。しかしながら、利用者が上半身を起すために床部を起上させると、移動自在に設けられたコントローラは利用者が使い易い位置から足元の方向へ落下してしまうことがあるから、そのような場合、身体が不自由な利用者はコントローラを取って操作することができないということがある。
【０００７】
【発明が解決しようとする課題】
このように、従来の起床式ベッド装置においては、床板を起伏操作するためのコントローラを操作する場合、一方の手でその本体を持ち、他方の手で本体に設けられたスイッチを操作しなければならないから、その操作を行うには両方の手を使わなければならず、利用者の手が不自由な場合には操作がしにくかったり、操作できないなどのことがある。
【０００８】
この発明は、利用者の片方の手あるいは両方の手が不自由であっても、床板の起伏操作を確実に行うことができるようにした起床式ベッド装置を提供することにある。
【００１１】
【課題を解決するための手段】
請求項１の発明は、ベッドフレームを有し、このベッドフレームには複数に分割された床部を互いに回動自在に連結してなる床板が設けられ、複数の床部のうちの所定の床部が駆動手段によって起伏駆動される起床式ベッド装置において、
起伏駆動される床部にはその上面側に突出する支持手段が設けられ、この支持手段には上記駆動手段を作動させるためのコントローラが設けられていることを特徴とする。
【００１２】
請求項２の発明は、請求項１の発明において、上記コントローラは、上面が開放した箱型状のベースと、このベースの上面を閉塞するとともに長手方向中途部が上記ベースに回動自在に連結されたカバーと、上記ベース内に設けられ上記カバーを回動させることで作動するスイッチと、上記カバーを上記スイッチを作動させない状態で弾性的に保持した弾性部材とから構成されていることを特徴とする。
【００１３】
請求項３の発明は、請求項１又は請求項２の発明において、上記支持手段は、一端が上記床部に取り付けられ他端に上記コントローラが取り付けられているとともにそのコントローラの位置を変更可能な可撓軸からなることを特徴とする。
【００１６】
請求項１の発明によれば、起伏駆動される床部に支持手段を設け、この支持手段にコントローラを設けるようにしたことで、利用者はコントローラを片方の手で持つことなくその操作を行うことができ、しかも両方の手が不自由な場合には肘、顎、脚などで上記コントローラを操作することも可能である。
【００１７】
請求項２の発明によれば、コントローラをベースとカバーとから構成し、カバーを回動させることで内蔵されたスイッチを作動させることができるようにしたから、利用者の手指が不自由であったり、視力が極端に低下していても、その操作を比較的容易に行うことが可能である。
【００１８】
請求項３の発明によれば、コントローラを可撓軸によって取付位置の変更可能に設けたことで、コントローラの位置を操作し易い位置に容易に変更することができる。
【００１９】
【発明の実施の形態】
以下、この発明の一実施の形態を図１乃至図６を参照して説明する。
【００２０】
図１と図２に示すこの発明の電動式ベッド装置としての起床式ベッド装置はベッドフレーム１を有する。このベッドフレーム１は所定の間隔で平行に離間した一対の側板２の一端にヘッドボード３が連結され、他端にフットボード４が連結されてなる。
【００２１】
上記ベッドフレーム１の幅方向両端部には長手方向全長にわたって受け板５が設けられている。この受け板５上にはそれぞれ受け桟６が設けられ、これら受け桟６上には合成樹脂を所定の厚さの中空状にブロー成形してなる床板７が設けられている。
【００２２】
上記床板７は５つの床部７ａ〜７ｅに分割されて並設され、互いに回動自在に連結されている。中央に位置する固定床部７ｃは上記受け板５に固定されている。この固定床部７ｃの一側には腰床部７ｂと背上げ床部７ａとが順次回動自在に連結され、他側には第１の脚床部７ｄと第２の脚床部７ｅとが順次回動自在に連結されている。
【００２３】
上記床板７の下面側には図２に示すように上記ベッドフレーム１に保持されて駆動手段１１が配設されている。この駆動手段１１は内部に図示しない動力伝達機構が内蔵されたボックス１２を有し、このボックス１２の側面にはモータ１３が設けられている。上記ボックス１２の一端側には第１の駆動軸１４が設けられ、他端には第２の駆動軸１５が設けられている。
【００２４】
上記第１の駆動軸１４には第１のアーム１６の一端が固着されている。この第１のアーム１６の他端には第１のローラ１７が回転自在に設けられている。この第１のローラ１７は上記背上げ床部７ａの下面にベッドフレーム１の長手方向に沿って設けられたコ字状のレール部材２０に転動自在に係合している。
【００２５】
上記第２の駆動軸１５には第２のアーム１８の一端が固着されている。この第２のアーム１８の他端には第２のローラ１９が回転自在に設けられている。この第２のローラ１９は上記第１の脚床部７ｄの下面に設けられた傾斜部２１に当接している。
【００２６】
上記第１の駆動軸１４と第２の駆動軸１５とは、上記モータ１３が作動することで図２に鎖線で示すように倒伏状態から起立方向へ回動駆動されるようになっている。各駆動軸１４，１５が駆動されると、腰床部７ｂと背上げ床部７ａとが起立方向に駆動され、また第１の脚床部７ｄが起立方向に駆動されることで、これに連結された第２の脚床部７ｅも連動し、これら床部７ｄ，７ｅはほぼへの字状に屈曲する。
【００２７】
上記床板７上には図２に鎖線で示すマットレス２２が載置されている。各床部は上記マットレス２２を弾性的に屈曲させながら起立方向に回動する。したがって、上記マットレス２２上に利用者が仰臥していれば、その利用者は脚部が第１、第２の脚床部７ｄ，７ｅによって屈曲されながら上半身が起されことになるから、臀部が前方へずれ動くのが阻止される。
【００２８】
上記駆動手段１１はコントローラ２５によって作動させられるようになっている。このコントローラ２５は支持手段を構成する支持体２６によって背上げ床部７ａの幅方向一端側に設けられている。つまり、上記支持体２６は、図３と図４に示すように上記背上げ床部７ａに取り付けられる取付け部材２７を有する。この取付け部材２７は一端がコ字状に折曲された嵌合部２８に形成され、他端に係止軸２９が固着された帯状板からなり、上記嵌合部２８を背上げ床部７ａの幅方向一端部に係合させ、上記係止軸２９を幅方向中途部に厚さ方向に貫通して形成された通気孔３１に嵌合させて取着されている。
【００２９】
上記取付け部材２７の一端にはパイプ材をＵ字状に曲成した固定支柱３２が下端を溶接して立設されている。この固定支柱３２にはパイプ材を逆Ｕ字状に曲成した可動支柱３３が上記固定支柱３２にスライド自在に外嵌させて設けられている。上記可動支柱３３には蝶ねじ３４が設けられ、この蝶ねじ３４によって上記可動支柱３３を所定の高さ位置でスライド不能に固定できるようになっている。
【００３０】
上記可動支柱３３の上端には上記コントローラ２５が固定されている。このコントローラ２５は、図５と図６に示すように上面が開放した細長い箱型状をなし、上記可動支柱３３の上端に下面が溶接固定されたベース４１を有する。このベース４１の上面はカバー４２によって覆われている。このカバー４２の内面の長手方向中途部には図５に示すように上記ベース４１の内面に接合する一対の舌片４３が垂設され、これら舌片４３は上記ベース４１の側壁に支軸４４によって回動自在に連結されている。
【００３１】
上記カバー４４は周壁４２ａを有し、この周壁４２ａは上記ベース４１の周壁４１ａの外面を覆っている。
【００３２】
上記ベース４１内には、図５に示すように、このベース４１の支軸４４が設けられた長手方向中央部を中心にして左右に対称に一対のマイクロスイッチ４５（一方のみ図示）が所定間隔で配置されている。各マイクロスイッチ４５にはアクチュエータ４６の基端が枢着され、このアクチュエータ４６の円弧状に形成された先端部は上記カバー４２の内面に設けられた押圧子４７に弾性的に当接している。この押圧子４７によって上記アクチュエータ４６を押圧することで、マイクロスイッチ４５が作動するようになっている。
【００３３】
上記ベース４１内の上記マイクロスイッチ４５よりも端部側にはそれぞれ弾性部材としてのコイルばね４８が設けられている。このコイルばね４８は上記カバー４２を上記マイクロスイッチ４５を作動させない中立状態で弾性的に保持している。
【００３４】
したがって、上記カバー４２を上記コイルばね４８の付勢力に抗して回動させることで、左右どちらか一方のマイクロスイッチ４５を作動させることができるようになっている。
【００３５】
一方のマイクロスイッチ４５を作動させれば、倒伏状態にある床板７の各床部を起立方向へ駆動することができ、他方のマイクロスイッチ４５を作動させれば、起立状態にある各床部を倒伏方向へ駆動できるようになっている。つまり、カバー４２の一端側あるいは他端側を押圧して回動させ、一方あるいは他方のマイクロスイッチ４５を作動させれば、床板７の各床部を起上させたり、起上状態の床部を倒伏させることができるようになっている。
【００３６】
このような構成の起伏式ベッド装置によれば、マットレスＭ上に仰臥した利用者がたとえば上半身を起すためにコントローラ２５を操作する場合、このコントローラ２５のカバー４２の長手方向一端側を押圧する。カバー４２は支軸３４を支点として回動し、カバー４２の内面に設けられた押圧子３７がマイクロスイッチ３５をオンにするから、このマイクロスイッチ３５によって駆動手段１１のモータ１３が作動させられる。
【００３７】
それによって、第１の駆動軸１４と第２の駆動軸１５が起立方向へ回動し、背上げ床部７ａおよび第１の脚床部７ｄを起上させるから、マットレスＭ上に仰臥した利用者は脚部が屈曲されながら上半身が起される。
【００３８】
ところで、上記コントローラ２５は支持体２６に固定して設けられている。そのため、上記コントローラ２５の操作はカバー４２の一端側を押圧するだけでよいから、たとえば利用者の一方の手が不自由であっても、他方の手で上記カバー４２を押圧して操作することが可能である。
【００３９】
また、利用者が両方の手を使うことができない状態にある場合には、カバー４２の一端側を肘、顎あるいは脚などで押圧することで、上記コントローラ２５を操作することが可能である。
【００４０】
つまり、上記コントローラ２５はベース４１の上面側全体にわたってカバー４４が回動自在に設けられてなるから、小さな操作ボタンを操作する場合のように手指などを用いなくても、上記カバー４４を押圧回動させることができる。そのため、上述したように、肘、顎あるいは脚などで操作することができるから、両方の手が不自由な利用者であっても操作可能であるばかりか、その操作は比較的大きなカバー４４の一端側を押圧するだけであるから、視力が低下した利用者であっても操作することができる。
【００４１】
上記コントローラ２５の支持高さは支持体２６の可動支柱３３によって高さ調整することができる。そのため、利用者が利用し易い高さに位置決めすることができる。たとえば、手が使えずに顎で操作する場合には比較的高い位置に位置決めした方が操作し易く、脚で操作する場合には低くした方が操作し易いから、その時の利用者の操作条件に応じて高さを変えることができる。
【００４２】
上記支持体２６は背上げ床部７ａに取り付けられている。そのため、床板７を背上げ操作する前も、背上げ操作した後も、上記支持体２６に取り付けられたコントローラ２５は常にマットレスＭ上に仰臥した利用者の上半身の側方にあり、その位置が変わることがないから、利用者はコントローラを探すことなくその操作を容易かつ迅速に行うことが可能である。
【００４３】
コントローラ２５を床板７の固定床部７ａに取り付ける取付け部材２７の構造は、床板７の構造によって変えられる。上記一実施の形態では床板７は合成樹脂を所定の厚さにブロー成形したもであるため、帯状部材の一端にコ字状の嵌合部２８、他端に通気孔３１に嵌合する係止軸２９を設けた取付け部材２７を用いたが、図７に示すように床板７が周辺部にフランジ５１を有する板状の場合には、取付け部材２７ａの一端に支持体２６の固定支柱３２を固着し、他端は通気孔３１ａの箇所で床板７の背上げ床部７ａの内面に帯状の止め板５２を接合し、これらをねじ５３によって結合することで、取着するようにすればよい。
【００４４】
図８は図７に示す実施の形態と床板７の構造が同じであるが、取付け部材２７ｂをコ字状に曲成して上記背上げ床部７ａの幅方向端部に嵌合させるとともに、取付け部材２７ｂの下辺には先端に押え部材５４ａが設けられたねじ５４が螺合され、このねじ５４を捩じ込んで押え部材５４ａを背上げ床部７ａの下面に圧接させることで、取付け部材２７ｂを上記背上げ床部７ａに固定できるようになっている。
【００４５】
図９はこの発明のさらに他の実施の形態を示す。この実施の形態はコントローラ２５を取り付ける支持手段の変形例で、この実施の形態は支持手段として可撓軸６２が用いられている。可撓軸６２の下端にはブロック６３が設けられ、このブロック６３は図８に示す実施の形態と同様の取付け部材２７ｂの端面に固着されている。この可撓軸６２の上端にはコントローラ２５が取り付けられている。
【００４６】
上記可撓軸６２は密巻コイルなどからなり、所定以上の外力を加えることで屈曲変形し、その外力を除去しても変形状態が維持されるようになっている。
【００４７】
したっがって、可撓軸６２を変形させることで、その上端に設けられたコントローラ２５を利用者が利用し易い位置に位置決めすることができる。
【００４８】
個の発明は上記各実施の形態に限定されず、発明の要旨を逸脱しない範囲で変傾向のである。たとえば、上記一実施の形態では支持体を床板の背上げ床部の幅方向一端部に設けたが、床板でなく、ベッドフレームに直接、設けるようにしてもよい。また、支持体の支柱を固定支柱と可動支柱とから構成し、コントローラの高さを調整できるようにしたが、固定支柱だけとしいて、コントローラを予め定められた所定の高さに設けるようにしてもよい。さらに、電動式ベッド装置としては起床式だけに限られず、床板の高さを調整できる上下動式あるいは床板を左右に揺動させて利用者の床擦れを防止する揺動式などの機能を有するベッド装置であってもよく、しかもこれらの機能を複数組み合わせた構成のベッド装置であってもよい。
【００５０】
そのため、電動式のベッド装置にたとえば床板を起伏駆動するなどしても、コントローラを常に所定に位置に確実に設けておくことができるから、上記コントローラの操作を確実かつ容易に行うことが可能となる。
【００５３】
請求項１の発明によれば、起伏駆動される床部に支持手段を設け、この支持手段にコントローラを設けるようにした。
【００５４】
そのため、利用者はコントローラを片方の手で持つことなくその操作を行うことができ、しかも両方の手が不自由な場合には肘、顎、脚などで上記コントローラを操作することが可能であるから、身体が不自由な利用者であっても、上記コントローラを確実に操作することができる。
【００５５】
請求項２の発明によれば、コントローラをベースとカバーとから構成し、カバーを回動させることで上記ベースに内蔵されたスイッチを作動させることができるようにした。
【００５６】
そのため、カバーはコントローラ全体にわたる大きさにすることができ、しかもその一端部を押圧して回動させることで操作できるから、利用者の手指が不自由であったり、視力が極端に低下していても、上記カバーを回動させてコントローラの操作を行うことが可能である。
【００５７】
請求項３の発明によれば、床部に可撓軸によってコントローラを取付位置の変更可能に設けるようにした。
【００５８】
そのため、上記可撓軸を変形させてコントローラの位置を変更することができるから、コントローラを利用者が操作し易い位置に容易に位置決めすることができる。
【図面の簡単な説明】
【図１】この発明の一実施の形態を示す起床式ベッド装置の平面図。
【図２】同じく側面図。
【図３】同じくコントローラを床板に取り付けた状態の側面図。
【図４】（ａ）は同じくコントローラが取付られた支持体の平面図、（ｂ）は同じく正面、（ｃ）は同じく側面図。
【図５】同じくコントローラの一部を断面して内部を示す側面図。
【図６】同じく図５のＸ−Ｘ線に沿う断面図。
【図７】この発明の支持体の取付構造の変形例を示す側面図。
【図８】この発明の支持体の取付構造のさらに異なる変形例を示す側面図。
【図９】この発明の支持体の変形例を示す側面図。
【符号の説明】
１…ベッドフレーム
７…床板
７ａ〜７ｅ…床部
１１…駆動手段
２５…コントローラ
２６…支持体（支持手段）
４１…ベース
４２…カバー
４５…マイクロスイッチ
４８…コイルばね（弾性部材）
【図１】
0003554492.tif 000002
【図２】
0003554492.tif 000003
【図３】
0003554492.tif 000004
【図４】
0003554492.tif 000005
【図５】
0003554492.tif 000006
【図６】
0003554492.tif 000007
【図７】
0003554492.tif 000008
【図８】
0003554492.tif 000009
【図９】
0003554492.tif 000010